(57)【要約】【課題】電子機器の外観を損なわずにケーブル導入口の防塵性を高める。【解決手段】電子機器１は、ケーブルＣの導入されるケ―ブル導入ロ１３を天板１２に備えている。天板１２には、支持体４が支持されている。支持体４には、ケーブル導入口１３の前後の縁部に沿って延びるガイド孔４３が形成されている。支持体４は、ガイド孔４３で複数の防塵部材２を移動自在に支持している。防塵部材２は、支持板２１の両主面に各防塵ゴム２２を取り付けて構成されており、ガイド孔４３の延設方向に各防塵ゴム２２を向けて、支持板２１の備える脚部２３をガイド孔４３に挿通されている。各防塵部材２は、隣り合う防塵部材２と防塵ゴム２２同士を密着させて、ケーブル導入口１３に導入されたケーブルＣを挟み込む。【選択図】図２
2010135468.tif 000002
【特許請求の範囲】
【請求項１】
電子機器の筐体が備えるケ―ブル導入ロの防塵構造であって、
弾性体と前記弾性体を前記筐体に支持する支持部材とからなる複数の防塵部材で前記ケーブル導入口を覆い、隣り合う前記防塵部材の備える前記弾性体で前記ケーブル導入口に導入されたケーブルを挟み込むように構成されたことを特徴とするケ―ブル導入ロの防塵構造。
【発明の詳細な説明】
【技術分野】
【０００１】
本発明は、外線ケーブルを筐体内に導入するためのケーブル導入口の防塵構造に関する。
【背景技術】
【０００２】
通信機器等の電子機器の筐体には、外線ケーブルを筐体内に導入するためのケーブル導入口が設けられている。下記の特許文献１では、形状の異なる複数の金具のケーブル導入口の周縁への取付位置を調整して、ケーブルの導入されたケーブル導入口を塞ぎ、ケーブル導入口の防塵が図られている。
【０００３】
この他に、筒状の巾着の一端開口部を押え板でケーブル導入口の周縁に固定し、巾着を通してケーブル導入口にケーブルを導入した後に巾着の他端開口部をひもで縛ることや、スリットの形成されたゴム板をケーブル導入口の周縁に固定してケーブル導入口を塞ぎ、スリットを通してケーブル導入口にケーブルを導入することも考えられる。
【０００４】
【特許文献１】特開平２−２９００９７号公報
【発明の開示】
【発明が解決しようとする課題】
【０００５】
しかしながら、金具やゴム板を用いた防塵方法では、金具やスリットとケーブルの隙間から、筐体内にほこりが進入する虞が大きかった。また、ゴム板や巾着を用いた方法では、ゴム板が自重で垂れ下がったり、巾着が筐体の外部に突出する等して、電子機器の外観が悪くなる虞があった。
【０００６】
本発明は斯かる課題に鑑みてなされたもので、上記課題を解決できるケーブル導入口の防塵構造を提供することを目的とする。
【課題を解決するための手段】
【０００７】
このような目的を達成するために、本発明のケ―ブル導入ロの防塵構造は、電子機器の筐体が備えるケ―ブル導入ロの防塵構造であって、弾性体と前記弾性体を前記筐体に支持する支持部材とからなる複数の防塵部材で前記ケーブル導入口を覆い、隣り合う前記防塵部材の備える前記弾性体で前記ケーブル導入口に導入されたケーブルを挟み込むように構成されたことを特徴とする。
【発明の効果】
【０００８】
本発明によれば、ケーブル導入口を覆った防塵部材の弾性体同士で、ケーブル導入口に導入されたケーブルを挟み込むことで、電子機器の外観を損なわずにケーブル導入口の防塵性を高めることができる。
【発明を実施するための最良の形態】
【０００９】
以下、図面を参照して、本発明の最良の形態について説明する。
図１は、本実施形態の電子機器１が備えるキャビネット１０の前方からの斜視図である。図２は、キャビネット１０が備えるケーブル導入口１３の防塵構造を示す分解斜視図である。なお、以下の説明で用いる上下，前後，及び左右の各方向は説明に用いる各図に示している。この上下，前後，及び左右は説明のために記載したもので、実際の配置と異なってよいことはもちろんである。
【００１０】
図１に示すように、電子機器１のキャビネット１０は、天板１２に備えるケーブル導入口１３から内部にケーブルＣが導入される。キャビネット１０の左右の両側部の前面には、回路を内蔵したユニット２０をネジ止めするための複数のネジ孔１１が、上下方向に並んで配設されている。ユニット２０は、左右の縁部に設けられた挿通孔２１を通して何れかのネジ孔１１にネジ止めされて、キャビネット１０に取り付けられ、ケーブルＣを介して外部機器と接続される。
【００１１】
ケーブル導入口１３の防塵構造について、図２を用いて説明する。ケーブル導入口１３は、支持体４で天板１２に支持された複数の防塵部材２により防塵される。防塵部材２は、略矩形の平板状を呈した支持板２１の左右の両主面に、略四角ブロック状の防塵ゴム２２を貼り付けたものを単位として構成されている。支持板２１の下縁の前端部及び後端部からは、それぞれ脚部２３が下方に突出している。各脚部２３は、略Ｌ字の側面形状を有しており、前側の脚部２３は前方へ、後側の脚部２３は後方へそれぞれ先端を延ばしている。
【００１２】
防塵部材２を天板１２に支持する支持体４は、方形の平面形状を有した底板４ａと、底板４ａの周縁から上方に延びて略Ｌ字の断面形状を有した枠板４ｂとから構成されている。底板４ａの中央部には、方形の開口形状を有した挿通口４２が、底板４ａと前後左右の各辺部を平行に位置させて形成されている。
【００１３】
底板４ａの前端部及び後端部には、挿通口４２の前縁及び後縁に沿って延びる一対のガイド孔４３が開口している。前側のガイド孔４３の左端部４３ａは前方に、後側のガイド孔４３の左端部４３ａは後方に、それぞれ屈曲して延びている。
【００１４】
支持体４には、複数の防塵部材２が支持板２１の脚部２３をガイド孔４３に挿通されて取り付けられ、挿通口４２の左端から右端にかけて配列される。各防塵部材２は、支持板２１の前後の脚部２３を、支持体４が備える各ガイド孔４３の左端部４３ａに挿通した後、右方へ移動させることで、支持体４に取り付けられる。支持体４に取り付けられた防塵部材２は、ガイド孔４３の周縁の底板４ａに脚部２３が係止することで、支持体４からの離脱を規制される。
【００１５】
支持体４に取り付けられた各防塵部材２は、支持板２１の左右の両主面の防塵ゴム２２を、隣り合って配置された防塵部材２の防塵ゴム２２と密着させる。挿通口４２は、右縁部から左縁部にかけての上方を、左右に並んで配置された複数の防塵部材２で覆われることで防塵される。挿通口４２の防塵に十分な数の防塵部材２が支持体４に取り付けられる。
【００１６】
支持体４は、ケーブル導入口１３の周縁に沿って天板１２に配設された挿通孔１２ａを通して、枠板４ｂの備えるネジ孔４１で天板１２にネジ止めされて下側から取り付けられる。天板１２に取り付けられた支持体４は、ケーブル導入口１３の前後の周縁に位置する天板１２にガイド孔４３を向かい合わせて位置させている。また、支持体４は、ケーブル導入口１３に挿通口４２を向かい合わせて位置させている。また、各防塵部材２は、支持板４の底板４ａとケーブル導入口１３の周縁の天板１２との間に防塵ゴム２２を挟み込まれることで、挿通口４２とケーブル導入口１３との間に位置決めされて挿通口４２及びケーブル導入口１３を塞ぎ、防塵している。
【００１７】
ケーブル導入口１３にケーブルＣを導入する場合には、ケーブルＣの導入位置を覆った防塵部材２を左方又は右方に押し付ける。すると、防塵部材２の防塵ゴム２２が圧縮されて肉薄になり、押付方向と逆側の隣の防塵部材２との間に隙間ができる。この隙間からケーブルＣを導入した後に防塵部材２への押し付けを解くと、防塵ゴム２２の弾発力で防塵部材２が押付方向と逆方向に移動し、押付方向と逆側の防塵部材２とでケーブルＣを挟み込む。両防塵部材２のケーブルＣを挟んだ箇所は、ケーブルＣの形状に沿うように弾性変形し、ケーブルＣを挟み込んだ防塵ゴム２２とケーブルＣとの隙間がなくなる。
【００１８】
本実施形態によれば、ケーブル導入口１３を覆う防塵部材２が、隣り合う防塵部材２の防塵ゴム２２同士でケーブル導入口１３に導入されたケーブルＣを挟み込むことで、電子機器１の外観を損なわずにケーブル導入口１３の防塵性を高めることができる。
【００１９】
また、本実施形態によれば、防塵部材２が、支持板２１の左右の両主面に配置された防塵ゴム２２でのケーブルＣの挟持方向（左右方向）に移動自在に、支持体４を介して天板１２に支持されていることから、ケーブル導入口１３の所望の位置で防塵ゴム２２によりケーブルＣを挟持できる。また、ケーブル導入口１３へのケーブルＣの導入位置に応じて防塵部材２を移動させることで防塵ができることから、ケーブルＣの導入作業を簡略化できる。
【００２０】
また、本実施形態によれば、ケーブルＣを挟持する防塵部材２をケーブルＣ毎に選べることから、複数のケーブルＣの導入位置をケーブルＣ毎に定めることができる。
【００２１】
なお、支持板２１への防塵ゴム２２の取付方法は任意であり、支持板２１の左右の主面に２つの防塵ゴム２２を貼り付ける構成には限定されない。例えば、図３に示すように、防塵ゴム２２０の備える溝部２２０ａに支持板２１を挿入して取り付けて、防塵部材２を構成してもよい。
【００２２】
また、支持板２１の形状は、防塵ゴム２２を支持できるのであれば任意であり、例えば、平板体でなく棒状体から構成されていてもよい。また、防塵ゴム２２の形状は、隣り合う防塵ゴム２２とでケーブルＣを挟み込んで変形し、ケーブル導入口１３を防塵できるのであれば任意であり、例えば、四角ブロック状ではなく、隣り合う防塵ゴム２２の左右の側面に形成された凹凸と嵌合する凹凸を備えた波形の断面形状を有していてもよい。
【００２３】
また、防塵部材２を天板１２に支持する方法も任意であり、支持体４を用いずに天板１２に設けたガイド部で防塵部材２を支持してもよい。また、防塵部材２の備える支持板２１のガイド方法も任意であり、支持体４のガイド孔４３に支持板２１の脚部２３を挿通させる上記実施形態での方法には限定されない。
【００２４】
また、上記実施形態では、弾性体として防塵ゴム２２を用いた場合について説明した。しかしながら、弾性体の材質は、ケーブルＣを挟み込んで変形し、ケーブル導入口１３を防塵できるのであれば任意であり、例えば、スポンジを用いることができる。また、ケーブル導入口１３へのケーブルＣの導入方法は任意であり、防塵部材２でケーブルＣを挟み込んでから支持体４を取り付けてもよい。
【００２５】
以上、本発明の実施形態について説明したが、本発明の実施態様としては、以下のものを挙げることができる。
実施態様１のケ―ブル導入ロの防塵構造は、電子機器の筐体が備えるケ―ブル導入ロの防塵構造であって、弾性体と前記弾性体を前記筐体に支持する支持部材とからなる複数の防塵部材で前記ケーブル導入口を覆い、隣り合う前記防塵部材の備える前記弾性体で前記ケーブル導入口に導入されたケーブルを挟み込むように構成されたことを特徴とする。
また、実施態様防塵部材２の配線接続ユニットは、実施態様１において、前記支持部材が、前記ケーブル導入口に架け渡されて、前記弾性体同士でのケーブルの挟持方向に沿って移動自在に前記電子機器本体に支持されており、移動方向を向いた一対の面のそれぞれに前記弾性体が配置されていることを特徴とする。
また、実施態様３の電子機器は、ケーブルの導入されるケ―ブル導入ロを備えた筐体と、前記ケーブル導入口の向かい合う一対の開口縁部に沿って延びたガイド孔と、板体の両主面に取り付けられた各防塵ゴムを前記ガイド孔の延設方向に向け、前記板体の備えるガイド突片を前記ガイド孔にガイドされて前記筐体に移動自在に支持された複数の防塵部材とを備え、各前記防塵部材は、隣り合う前記防塵部材と前記防塵ゴム同士を密着させて、前記ケーブル導入口に導入されたケーブルを挟み込むことを特徴とする。
【図面の簡単な説明】
【００２６】
【図１】本発明の一実施形態の電子機器が備えるキャビネットの前方からの斜視図である。
【図２】図１に示すキャビネットが備えるケーブル導入口の防塵構造を示す分解斜視図である。
【図３】防塵部材の構成の変形例を模式的に示す断面図である。
【符号の説明】
【００２７】
Ｃ      ケーブル
１      電子機器
１０    キャビネット
１２    天板
１３    ケーブル導入口
２      防塵部材
２０    ユニット
２１    支持板
２２    防塵ゴム
２３    脚部
４      支持体
４２    挿通口
４３    ガイド孔
【図１】
2010135468.tif 000003
【図２】
2010135468.tif 000004
【図３】
2010135468.tif 000005